(57)【特許請求の範囲】
【請求項１】
浴水を浄化するための濾過タンクを備え、該タンクに浴水を循環通過させることにより浴水を浄化する浴水浄化装置において、
前記濾過タンクに設けられた開閉可能な大気開放弁と、
該濾過タンクより低い位置に設けられた濾過タンク内の浴水を系外に排出する排出口と、
前記循環経路に設けられ、前記大気開放弁を開放することにより濾過タンクに導入される空気を該循環経路に導入するエアー注入用エジェクタと、
前記濾過タンクに連結して設けられ、浴水中のエアーをオゾン化することが可能な紫外線殺菌装置と、
該紫外線殺菌装置に設けられ、前記大気開放弁を開放することにより濾過タンクに導入される空気を該紫外線殺菌装置に導入してオゾンを発生させるオゾン循環用エジェクタと、
を有することを特徴とする浴水浄化装置。
【発明の詳細な説明】
【０００１】
【発明の属する技術分野】
この発明は、浴水浄化装置に関する。
【０００２】
【従来の技術】
浴水浄化装置は、濾過タンクを備え、この濾過タンクに浴水をポンプなどにより循環させて、浴水の濾過浄化を行うように構成されている。
このような浴水浄化装置において、濾過タンクに浴水を逆流させて濾過タンクを洗浄できるように構成されたものが既に市販されている。この洗浄の際には、循環経路に空気を混入させ、該空気により濾過材を動かして洗浄することにより洗浄効率を高めている。またオゾン循環のためにエアーを注入する構成のものもある。
空気を導入するために、従来は別途エアーポンプを設けて、該エアーポンプにより強制的に空気を導入していた。
【０００３】
【発明が解決しようとする課題】
しかし、上記した従来の構成の場合、エアーポンプを別途備える必要があるため、コストアップになる問題があった。また、浴槽の高低位置等の設置条件によりエアーの注入量が変わるため制御が面倒である。また、エアーの入れ過ぎや浴水のエアーポンプへの逆流等の危険がある等の問題があった。
本発明は上記従来技術の欠点を改善することを目的とする。
【０００４】
【課題を解決するための手段】
上記目的を達成するために、本発明は、浴水を浄化するための濾過タンクを備え、該タンクに浴水を循環通過させることにより浴水を浄化する浴水浄化装置において、前記濾過タンクに設けられた開閉可能な大気開放弁と、該濾過タンクより低い位置に設けられた濾過タンク内の浴水を系外に排出する排出口と、前記循環経路に設けられ、前記大気開放弁を開放することにより濾過タンクに導入される空気を該循環経路に導入するエアー注入用エジェクタと、前記濾過タンクに連結して設けられ、浴水中のエアーをオゾン化することが可能な紫外線殺菌装置と、該紫外線殺菌装置に設けられ、前記大気開放弁を開放することにより濾過タンクに導入される空気を該紫外線殺菌装置導入してオゾンを発生させるオゾン循環用エジェクタと、を有することを特徴とする。
上記構成により、エアーポンプを別途設けることなく、エアーの導入を行える。
【０００５】
【発明の実施の形態】
以下本発明の実施の形態を図面に基づいて説明する。
図１、図２、図３は同一の浄化装置を示すもので、図１はエアー注入モード、図２は通常の浄化モード、図３は浴水を逆流させて洗浄する逆先モードをそれぞれ示している。
図２において、浴槽１の浴水は水用逆流防止弁ＷＶ１を通って、ポンプＰに吸引され切り替えＴバルブＶ２とヒータＨを通過し、殺菌ランプＵＶから濾過タンクＴに導かれ、更に切り替えＬバルブＶ３、切り替えＴバルブＶ１を通過してジェットノズルＪから浴槽１に再び戻されるようになっている。浴水は殺菌ランプＵＶにおいて殺菌されると共に、濾過タンクＴで濾過されて浄化されるようになっている。また殺菌ランプＵＶにおいては、浴水中のエアーがオゾン化されてオゾンが発生し、このオゾンによっても殺菌が行われる。このオゾンは濾過タンクＴの上部に貯まりオゾン循環用エジェクタＥ２を介して殺菌ランプＵＶに帰還し、殺菌ランプＵＶと濾過タンクＴの間を循環するように構成されている。
なお、Ａは圧力センサ、Ｂはバイパスである。
【０００６】
濾過タンクＴの上部にはエアー用逆流防止弁ＡＶ１を介してエアー注入用電磁弁ＶＥが設けられおり、このエアー注入用電磁弁ＶＥを開とすることにより濾過タンクＴの上部は大気と連通するようになっている。
また切り替えＴバルブＶ２には排出口Ｏが連結されており、切り替えＴバルブＶ２の方向を変えることにより浴水が排出口Ｏから系外に排出されるようになっている。
【０００７】
図１に示すように、切り替えＴバルブＶ２を排出口Ｏ側に切り替えると、濾過タンクＴの水は殺菌ランプＵＶ、オゾン循環用エジェクタＥ２、ヒータＨ、切り替えＴバルブＶ２を流れて排出口Ｏから系外に排出される。これと同時に濾過タンクＴから抜けた水の分だけ、エアー注入用電磁弁ＶＥから空気が濾過タンクＴ内に導入される。この空気の量は、濾過タンクＴと殺菌ランプＵＶを接続する浴水用のパイプの濾過タンクＴにおける取り付け位置に依存する。
【０００８】
濾過タンクＴに空気を導入した後に図３に示す逆洗浄を行う。
この場合、ポンプＰにより浴槽１から吸引された浴水はエアー抜き用エジェクタＥ１、切り替えＴバルブＶ１、切り替えＬバルブＶ３と流れ、濾過タンクＴの下部から逆流する。濾過タンクＴの上部に導入された空気はエアー抜き用エジェクタＥ１において浴水と混合され、浴水と共に濾過タンクＴの下部から逆流する。この逆流により濾過タンクＴ内の濾過材の洗浄が行われる。洗浄後の水は殺菌ランプＵＶ、ヒータＨ、切り替えＴバルブＶ２を通って排出口Ｏから系外に排出される。
【０００９】
浴槽１が２階にあり浄化装置が１階にある場合など、エアー導入時に浴水が吸湯ユニットＫ、水用逆流防止弁ＷＶ１、ポンプＰ、切り替えＴバルブＶ１、切り替えＬバルブＶ３を経由して濾過タンクＴの下側から進入し、エアー導入ができなくなる場合がある。
このような設置条件に適合した実施形態を図４に示す。ここではジェットノズルＪと切り替えＴバルブＶ１の間に水用逆流防止弁ＷＶ２を設け、エアー導入時には切り替えＴバルブＶ１をポンプＰ側と断絶するように切り替える。これによりポンプＰを介して連結している濾過タンクＴの下部と吸湯ユニットＫ側との間を完全に遮断することが可能になる。また、水用逆流防止弁ＷＶ２が逆止弁であることから、浴槽１からの圧を閉鎖することが可能である。
なお、エアー用逆流防止弁ＡＶ２はエアー抜き用エジェクタＥ１を介してかかる圧を止めるものである。
【００１０】
図５に逆洗浄用のエアータンクＡＴを備えた浄化装置に本発明を適用した例を示す。
この実施形態ではエアー注入用電磁弁ＶＥとエアー用逆流防止弁ＡＶ１をエアータンクＡＴの上部に設け、ここにエアーを導入するようになっている。
即ち、濾過タンクＴからの浴水は殺菌ランプＵＶ、ヒータＨ、切り替えＴバルブＶ２を通って排出口Ｏから系外に排出され、エアー注入用電磁弁ＶＥ、エアー用逆流防止弁ＡＶ１を通って大気がエアータンクＡＴ及び濾過タンクＴに導入される。
【００１１】
図６と図７は更に他の実施形態を示すものである。ここでは、濾過タンクＴと殺菌ランプＵＶの間の循環路にエアー注入用エジェクタＥ３を設け、ここにエアー用逆流防止弁ＡＶ３を介してエアー注入用電磁弁ＶＥ３を接続して大気と連通するようになっている。
この実施形態では、エアー注入用電磁弁ＶＥ３を開とし、循環路に浴水を循環させることにより、大気がエアー注入用エジェクタＥ３を介して管路に導入される。
図６の例では、エアー導入時の浴水循環は浴槽１の浴水を吸引することなく行われるため、ポンプＰの負担が少ない利点がある。
【００１２】
なお、図１乃至図３に示す構成の浄化装置のエアー排出について説明する。
図８に示すように、濾過タンクＴの上部にはオゾンが貯まっており、このオゾンがオゾン循環用細管ＯＰとオゾン循環用エジェクタＥ２を介して濾過タンクＴと殺菌ランプＵＶの間を循環している。この循環に際して音が発生するため、夜間など濾過タンクＴ上部のエアーを抜く必要が生じる場合がある。
エアー排出モードはこのような場合に用いるもので、図１乃至図３の構成ではエアー抜き用エジェクタＥ１を用いることにより迅速な排出を可能にしている。
即ち、図８において、浴槽１の浴水はポンプＰからヒータＨ、殺菌ランプＵＶ、濾過タンクＴに送られる一方、切り替えＴバルブＶ１を図示のように切り替えることにより、エアー抜き用エジェクタＥ１から切り替えＴバルブＶ１を通ってジェットノズルＪに直接戻る管路を形成する。このとき、エアー抜き用エジェクタＥ１がエアー抜き用細管ＥＰを介して濾過タンクＴ上部の空気を吸引して浴水と共にジェットノズルＪから浴槽１に排出する。図９にエアー排出前と排出後の濾過タンクＴの状態を示す。この排出の際には、ポンプＰを高速、中速、低速等何段階かに変えて運転することが望ましい。即ち、低速運転によりエアー抜きが確実に行え、高速及び中速運転によりエアー抜きの時間を短縮すると共に吸い込み側の詰まり等が生じても確実にエアー抜きが行える利点がある。
上記した図８に示すエアー抜き用エジェクタＥ１を使用した構成による排出の場合、排出を迅速に行え、また通常の浄化モード時には濾過タンクＴ上部からのエアーの漏れがなく、オゾンの損失が少ない利点がある。
【００１３】
以上説明したように、上記実施形態においてはエアーポンプを必要とせずにエアーの導入を行える効果がある。
【００１４】
【発明の効果】
以上説明したように本発明の浴水浄化装置によれば、エアーポンプを必要とせず、エアーを導入することが可能になる効果がある。
【図面の簡単な説明】
【図１】本発明の一実施形態を示す概略ブロック図。
【図２】本発明の一実施形態を示す概略ブロック図。
【図３】本発明の一実施形態を示す概略ブロック図。
【図４】本発明の他の実施形態を示す概略ブロック図。
【図５】本発明の更に他の実施形態を示す概略ブロック図。
【図６】本発明の更に他の実施形態を示す概略ブロック図。
【図７】本発明の更に他の実施形態を示す概略ブロック図。
【図８】本発明の一実施形態におけるエアー排出の説明図。
【図９】エアー排出状態の説明図。
【符号の説明】
Ｔ：濾過タンク、ＵＶ：殺菌ランプ、Ｈ：ヒータ、Ｐ：ポンプ、Ｖ１：切り替えＴバルブ、Ｖ２：切り替えＴバルブ、Ｖ３：切り替えＬバルブ，Ｅ１：エアー抜き用エジェクタ、Ｅ２：オゾン循環用エジェクタ、Ｅ３：エアー注入用エジェクタ、Ａ：圧力センサ、Ｂ：バイパス、Ｊ：ジェットノズル、Ｋ：吸湯ユニット、ＶＥ：エアー注入用電磁弁、ＡＶ１：エアー用逆流防止弁、ＡＶ２：エアー用逆流防止弁２、ＡＶ３：エアー用逆流防止弁、ＷＶ１：水用逆流防止弁、ＷＶ２：水用逆流防止弁、Ｏ：排出口、ＶＥ３：エアー注入用電磁弁、ＡＴ：エアータンク，ＥＰ：エアー抜き用細管、ＯＰ：オゾン循環用細管、１：浴槽。
【図１】
0003813314.tif 000002
【図２】
0003813314.tif 000003
【図３】
0003813314.tif 000004
【図４】
0003813314.tif 000005
【図５】
0003813314.tif 000006
【図６】
0003813314.tif 000007
【図７】
0003813314.tif 000008
【図８】
0003813314.tif 000009
【図９】
0003813314.tif 000010